(57)【要約】      （修正有）【課題】家庭内および携帯時などの日常生活においてティッシュを両手で取出す操作において、ティッシュケースなどは利便良くしようされるが、従来のケースでは片手でポケットティッシュを一枚ずつ取り出す操作は出来ない。そこで、片手でも取出しが可能なポケットティッシュケースを提供する。【解決手段】ケース本体の上板４の開口部４ａの両長辺中央部にティッシュ袋のミシン目の開封口２０ａ縁を固定する係止具５が設けられ、本体の底板２の両短辺２ａにおける辺長の４分の１から３分の範囲の位置を結ぶように吊り下げ用の紐１０の両端が取り付けられていることを特徴とするポケットティッシュケース１。【選択図】図４
0003130345.tif 000002
【実用新案登録請求の範囲】
【請求項１】
底板、側板および中央部に開口部をもつ上板とで囲まれた収容部を備えるポケットティッシュケース本体において、
該本体の上板の開口部の両長辺中央部にティッシュ袋のミシン目開口縁を固定する係止具が設けられ、
該本体の底板の両短辺に取り付ける吊り下げ紐の両端が短辺長の４分の１から３分の１の範囲の位置にある、ことを特徴とするポケットティッシュケース。
【請求項２】
底板、側板および中央部に開口部をもつ上板とで囲まれた収容部を備えるポケットティッシュケース本体において、
該本体の上板の開口部の両長辺中央部にティッシュ袋のミシン目開口縁を固定する係止具が設けられ、
該本体の両短辺において短辺長の４分の１に相当する上板位置と３分の１の位置の底板の短辺の間に架設軸が傾斜して設けられ、
該両架設軸を貫挿してスライドする一対のリングが設けられ、
該一対のリングを結ぶように吊り下げ用の紐の両端が取り付けられていることを特徴とするポケットティッシュケース。
【考案の詳細な説明】
【技術分野】
【０００１】
本考案は、携帯をするための吊り紐および取り出し口にティッシュ袋の開封縁の固定する係止具を設けたポケットティッシュケースに関するものである。
【背景技術】
【０００２】
昨今、ポケットティッシュが携帯用として多く使用されている。ポケットティッシュは概ね手帳、名刺大の大きさであり、上部に使用時に開封されるミシン目が施された樹脂製の軟質フィルムの袋に収納され、使用初めにミシン目を開封し上部から一枚ずつ取出し使用できるようになっている。袋が軟質フィルムであることから、使用に際して袋が変形して取出し難いこと、ハンドバックやポケットに納めたとき型崩れして皺になることなどから、種々のケースが提案されている。
【０００３】
例えば、特許文献１では、ポケットティッシュを家庭で使いやすくするため平らな横長の筒体の両端に開口部を設けて内部にポケットティッシュを装填し、筒体の上面に細長い取出し口を設けてティッシュを取り出すケースが記載されている。
【０００４】
さらに、携帯ティッシュホルダーとして、特許文献２では、矩形底板の両長辺に立設したティッシュ厚みの側板の上辺を、収容したティッシュ上面を押さつけるように折り曲げて、ティッシュを消費して厚さが薄くなってもティッシュを抑えて皺を発生させず最後まで使いきれる工夫がなされたものが記載されている。
【特許文献１】特開２００４−２７７０００号公報
【特許文献２】特開平１０−３３７２１０号公報
【考案の開示】
【考案が解決しようとする課題】
【０００５】
上記いずれの提案も、日常生活においてポケットティッシュを型崩れさせずに最後まで使い切るための利便性を高めたものであり、家庭内および携帯時などの日常生活においてティッシュを両手で取出す操作においては利便性が良いが、従来のケースでは片手でポケットティッシュを一枚ずつ取り出す操作は出来ないという問題点がある。
本考案は、ポケットティッシュケースからティッシュを取り出す場合において、片手でも容易に取出しが可能なポケットティッシュケースを提案することを課題とする。
【課題を解決するための手段】
【０００６】
本考案は、吊り下げ紐付きケースに収容したポケットティッシュを片手で摘み引き続き取り出すには、吊り下げ時には開口部が目視できるように表を向き、摘んで引き出す際には、ケースの姿勢が引張り方向に対してほぼ直角になれば良い事を見出して完成したものである。
すなわち、請求項１のポケットティッシュケースは、底板、側板および中央部に開口部をもつ上板とで囲まれた収容部を備えるポケットティッシュケース本体において、該本体の上板の開口部の両長辺中央部にティッシュ袋のミシン目開口縁を固定する係止具が設けられ、該本体の底板の両短辺に取り付ける吊り下げ紐の両端が短辺長の４分の１から３分の１の範囲の位置にある、ことを特徴とする。
【０００７】
請求項２のポケットティッシュケースは、底板、側板および中央部に開口部をもつ上板とで囲まれた収容部を備えるポケットティッシュケース本体において、該本体の上板の開口部の両長辺中央部にティッシュ袋のミシン目開口縁を固定する係止具が設けられ、該本体の両短辺において短辺長の４分の１に相当する上板位置と３分の１の位置の底板の短辺の間に架設軸が傾斜して設けられ、該両架設軸を貫挿してスライドする一対のリングが設けられ、該一対のリングを結ぶように吊り下げ用の紐の両端が取り付けられていることを特徴とする。
【考案の効果】
【０００８】
本考案のティッシュケースは、前記のように構成されているので次のような効果を奏する。
（１）ケースの取り出し開口部において、係止具によりティッシュ袋の開封口縁を開いた状態で保持されティッシュが絶えず剥き出しになっているから、取り出す際にティッシュ袋の開封口縁をかき分ける必要がない。
【０００９】
（２）ケース底板おける吊り紐の取付け位置を側辺中心部より適度にずらしているので、吊り下げ保持時においてケース底板面は、自重により重力方向にほぼ平行な姿勢をとる。ケースの吊り紐を人体頸部（人体ばかりでなく状況に応じて壁、家具側面）に吊り下げた状態でケース底板は人体表面（衣服表面）に面接触した状態となる。すなわち、ティッシュを取り出す際にティッシュが目視でき、ティッシュを片手で容易につまむことができる。
【００１０】
次に、ティッシュを取り出す際にはティッシュ取出し方向を吊り紐の方向にほぼ平行にしても、ケースの開口面が取り方向に対して直角方向に開き気味となって、ティッシュをスムースに取り出すことができる。
【考案を実施するための最良の形態】
【００１１】
本考案のポケットティッシュケース本体は、底板、側板、中央部に開口部をもつ上板とで囲まれたティッシの収容部をからなる。上板の中央部の開口部の両側縁には収容されたティッシュ袋の開封縁を固定する係止具がそれぞれ設けられている。底板の両短辺には吊り下げようの吊り紐が設けられている。
【００１２】
前記のティッシュ袋の開封縁を固定する係止具は、ケースに装填された袋入りのティッシュの開封口の側縁を常時開いた状態に保つ。袋を開いた状態に保つことが出来るので、取り出し時にティッシュを片手指でつまむことができる。係止具は、挟み方式、フック方式などいずれでも良い。通常のティッシュ袋に用いられる樹脂製フィルムは極めて軟質であり軽い押圧の係止具で充分に固定できる。
【００１３】
本考案では、ティッシュケースの吊り下げ時の姿勢、ティッシュを摘まんで取り出す際のティッシュケースの姿勢を制御するために、底板に取付ける吊り紐の位置を最適にしている。本考案の素材としては、収容するティッシュは軽く柔らかいので汎用の高分子樹脂や軽金属などを使用する。さらに取り付け紐としては、布製又は樹脂製の繊維糸による編み紐、撚り紐などを使用する。
【実施例】
【００１４】
本考案を、添付の図１〜図５により詳しく説明する。図１は、ポケットティッシュ本体と吊り紐の斜視図（実施例１）である。図２は、前記実施例１のケース内に袋入りポケットティッシュを装填した状態の斜視図である。図３（ａ）は、実施例１のケースを吊り紐で人体頸部に吊り下げた状態の断面図、同図（ｂ）は、図面下部の矢印方向にティッシュを取り出す際のケースの姿勢変化を説明する断面図である。図４は、実施例２の斜視図である。図５（ａ）は、実施例２のケースを吊り紐で人体頸部に吊り下げた状態の断面図、同図（ｂ）は、図面下部の矢印方向にティッシュを取り出す際のケースの姿勢変化を説明する断面図である。
【００１５】
（実施例１）
図１に示すように、ポケットティッシュケース１の向かい合う上板４の中央部には開口部４ａが設けられ取り出し口となる。開口部４ａの長辺部４ｂの中央部には係止具５が設けられている。吊り下げ紐１０の両端は、底板２の両短辺２ａにそれぞれ取付けられる。底板２への吊り下げ紐１０の取り付け位置は、短辺２ａの長さの４分の１の位置Ａから３分の１の位置Ｂの範囲内とする。本例では４分の１の位置Ａに取り付けられている。吊り下げ紐１０の取り付け位置を前記範囲内とすることにより次に述べるような効果がある。
【００１６】
図２（ａ）に示すように、ケースに装填されたポケットティッシュ２０のミシン目の開封口縁２０ａは上板開口部４ａの係止具５により常に開いた状態に保たれる。図３に示すように、吊り下げ紐１０により人体頸部に吊り下げられたケース１は自重により底板２の裏面は人体表面（衣服表面）に沿ってほぼ垂直に保持される。これは、吊り下げ紐１０の取り付け位置が側辺の中央部から適度にずれているから、一旦ほぼ垂直に保持された後は、容易に反転することはない。ティッシュケースの開口面が目視可能に表向きとなっているので、片手指でティッシュを容易に摘むことができる。
【００１７】
ティッシュ２０ｂを摘んで同図（ｂ）の下部に記す矢印Ｐ方向に引き出すと、吊り下げ紐１０のケースへの取り付け位置が、底板の最端部位置ではなく端部から４分の１長さだけ中央部寄りの位置Ａとなっているので、ケースの姿勢は矢印Ｘ，Ｙ方向へ傾斜し、取り出し方向に対してケース姿勢がやや直角になるように開き、ティッシュ２０ｂをスムースに取り出すことができる。
【００１８】
（実施例２）
図４は、吊り下げ紐１０の取付け位置を移動させるための架設軸を底板２と片側の上板４の間に設けたものである。すなわち、底板２の短辺２ａの長さの２分の１の位置Ｃ（中央）と上板において４分の１の位置Ｄの間に架設軸６を設ける。橋渡した架設軸６にスライドするリング７を貫挿し、このリング７に吊り下げ紐１０の両端を取り付ける。このような構成とすることにより、前記実施例１よりもさらに、ティッシュを片手で取り易くなる。
【００１９】
図５（ａ）は、前記ポケットティッシュケース１を実施例１において説明（図３参照）したと同じく人体頸部に吊り下げた状態を示す。この状態ではリング７は上板のＤ位置に移動し、ケースの重量を受け止めている。ところが図５（ｂ）に示すように、ティッシュ２０ｂを矢印方向Ｐ（図中の下方）に摘んで取り出すと、リング７は架設軸６をスライドしてＣ位置に移動する。Ｃ位置は底板２の短辺長の中央であるから、ケースの姿勢は矢印Ｘ，Ｙ方向に傾斜して、取り出し方向と吊り紐方向が重なるようになる。すなわち、ケースの姿勢が取り出し方向に対して直角に近づき、ティッシュ２０ｂをスムースに取り出すことができる。
【００２０】
本考案のポケットティッシュケースは、ティッシュ袋の開封口縁を係止して常時開口した状態に保持し、ティッシュを片手で容易につまみ取ることができる。さらに吊り紐の取り付け位置を、底板の端部から中央部へ適度にずらしたことにより、取り出し時においてケースの姿勢を変化させティッシュを片手でスムースに取り出すことができる。
このように片手でティッシュの取り出しができるから、とくに、両手による操作が困難な人において、日常生活におけるポケットティッシュの取り出し操作に役立つものである。
【図面の簡単な説明】
【００２１】
【図１】本考案の実施例１のポケットティッシュケースの斜視図である。
【図２】本考案の実施例１のポケットティッシュケースに袋入りティッシュを装填した状態の斜視図である。
【図３】本考案の実施例１のポケットティッシュケースのティッシュ取り出し操作の説明図である。
【図４】本考案の実施例２のポケットティッシュケースの斜視図である。
【図５】本考案の実施例２のポケットティッシュケースのティッシュ取り出し操作の説明図である。
【符号の説明】
【００２２】
１  ・・・ポケットティッシュケース
２  ・・・底板
２ａ・・・底板の短辺
３  ・・・側板
４  ・・・上板
４ａ・・・開口部
４ｂ・・・開口部の長辺部
５  ・・・係止具
６  ・・・架設軸
７  ・・・リング
１０・・・吊り下げ紐
２０・・・袋入りポケットティッシュ
２０ａ・・開封口
２０ｂ・・ティッシュ
【図１】
0003130345.tif 000003
【図２】
0003130345.tif 000004
【図３】
0003130345.tif 000005
【図４】
0003130345.tif 000006
【図５】
0003130345.tif 000007